(57)【要約】  【課題】  構成が簡単で安価に提供でき電源も不要で取り扱いが容易であるばかりか、操作性にも優れた傘入れ袋の収納装置を提供する。  【解決手段】  箱体１の一方片側に多数枚を重ねた傘入れ袋２１の収納部２を設けるとともにもう一方の片側に収納部２の最前に位置する傘入れ袋２１の上部に形成される挿入口２２の開放機構３を設け、開放機構３が、箱体１の下方に配置された足踏ペダル８を駆動源とする索条巻上げ機構４と、その上方において傘入れ袋２１の収納部２に対向して配置され最前に位置する傘入れ袋２１の上端に形成される挿入口２２への係止爪３３を先端に有する開放操作片３４を軸支した開口機構部３と、索条巻上げ機構４と開口機構部３との間に張設した索条５とからなる。  【選択図】      図１
2006131276.tif 000002
【特許請求の範囲】
【請求項１】
箱体の一方片側に多数枚を重ねた傘入れ袋の収納部を設けるとともにもう一方の片側に前記収納部の最前に位置する傘入れ袋の上部に形成される挿入口の開放機構を設けた傘入れ袋の収納装置であって、
前記開放機構が、前記箱体の下方に配置された足踏ペダルを駆動源とする索条巻上げ機構と、その上方において前記傘入れ袋の収納部に対向して配置され最前に位置する傘入れ袋の上端に形成される挿入口への係止爪を先端に有する開放操作片を軸支した開口機構部と、前記索条巻上げ機構と開口機構部との間に張設した索条とからなり、
前記足踏ペダルを踏むことにより前記索条巻上げ機構と開口機構部との間に張設された索条を索条巻上げ機構側に巻き上げて前記開放操作片を回動させることにより開放操作片の先端に形成されている係止爪を前記傘入れ袋の収納部の最前に位置する傘入れ袋の上端に形成される挿入口へ係止させて前記傘入れ袋の収納部の最前に配置されている傘入れ袋の上端に形成される挿入口を開放することを特徴とする傘入れ袋の収納装置。
【発明の詳細な説明】
【技術分野】
【０００１】
本発明は、例えば店舗などの入口に設置して、雨天時に濡れた傘を入れておくための傘入れ袋を収納する装置に関するものである。
【背景技術】
【０００２】
従来、雨天時に濡れた傘を店内等において持ち歩くことにより傘に付着した雨水が床を濡らしたり商品などに掛かったりすることになる。そこで、たとえばポリエチレンの軟質シートなどにより形成される傘入れ袋に傘を入れて入店或いは入場させることが行われており、通常、前記傘入れ袋は例えば店舗の入口などに配置された傘入れ袋の収納装置に多数枚が配置されている。
【０００３】
そして、傘入れ袋の収納装置単に傘入れ袋を収容するだけでなく、傘入れ袋への傘の収納操作を容易に行えるようにしたものがあり、例えば特許第２５６２８０６号公報に提示されている。
【０００４】
この公報に提示されている傘入れ袋の収納装置は、特開昭６０−１３４８１７号公報、実開昭６２−１２５７０８号公報、特開平４−３１２２２号公報等などに提示されている負圧で吸引する手段や、多数のリンクやカム機構等を用いる傘入れ袋の収納装置と異なり、構成が簡単で、電源も不要で漏電のおそれもないなどの利点を有している。
【０００５】
しかしながら、特許第２５６２８０６号公報に提示されている傘入れ袋の収納装置は、差込口に差し込んだ傘の先端を戻しばねに抗して下方に押し下げることにより開放操作部材を回動させて傘入れ袋の口を開放するとともに、傘を収容するものである。
【０００６】
従って、収容する傘自信を戻しばねに抗して差し込む必要があり、操作性が悪いとともに、特に、高く上げた状態の傘に力をき加えて押し込むことになり、子供や老人などのように、非力な者にとってはきわめて使いづらいという問題がある。
【０００７】
【特許文献１】開昭６０−１３４８１７号公報
【特許文献２】実開昭６２−１２５７０８号公報
【特許文献３】特開平４−３１２２２号公報
【特許文献４】特許第２５６２８０６号公報
【発明の開示】
【発明が解決しようとする課題】
【０００８】
本発明が解決しようとする課題は、構成が簡単で安価に提供でき電源も不要で取り扱いが容易であるばかりか、操作性にも優れた傘入れ袋の収納装置を提供するものである。
【課題を解決するための手段】
【０００９】
前記課題を解決するため、本発明である傘入れ袋の収納装置は、箱体の一方片側に多数枚を重ねた傘入れ袋の収納部を設けるとともにもう一方の片側に前記収納部の最前に位置する傘入れ袋の上部に形成される挿入口の開放機構を設けた傘入れ袋の収納装置であって、前記開放機構が、前記箱体の下方に配置された足踏ペダルを駆動源とする索条巻上げ機構と、その上方において前記傘入れ袋の収納部に対向して配置され最前に位置する傘入れ袋の上端に形成される挿入口への係止爪を先端に有する開放操作片を軸支した開口機構部と、前記索条巻上げ機構と開口機構部との間に張設した索条とからなり、前記足踏ペダルを踏むことにより前記索条巻上げ機構と開口機構部との間に張設された索条を索条巻上げ機構側に巻き上げて前記開放操作片を回動させることにより開放操作片の先端に形成されている係止爪を前記傘入れ袋の収納部の最前に位置する傘入れ袋の上端に形成される挿入口へ係止させて前記傘入れ袋の収納部の最前面に配置されている傘入れ袋の上端に形成される挿入口を開放するものである。
【発明の効果】
【００１０】
本発明によれば、足踏ペダルを踏むことにより傘入れ袋の上部に形成される挿入口へ開放操作片の先端に形成されている係止爪を係止させて傘入れ袋の挿入口を開口するので、高く上げた傘は開口した傘入れ袋に差し込むだけで、腕力を必要とせず、操作性にも優れ、非力なものにも使い易い。
【発明を実施するための最良の形態】
【００１１】
次に、本発明を実施するための最良の形態について説明する。
【００１２】
図面は本発明の好ましい実施の形態を示すもので、全体が縦長直方体形状で前面中央に断面がＵ字形を呈する傘６の差し込み溝１１を縦方向に形成したの箱体１内に収容されたおり、主として、多数枚の傘入れ袋２１の収納部２と、傘入れ袋２１の上部に形成される挿入口２２の開放機構３と、足踏ペダル８を駆動源とする索条巻上げ機構４と、開放機構３と索条巻上げ機構４との間に張設される索条５とから構成される。
【００１３】
そして、索条巻上げ機構４は、箱体１の一方片側下に配置されており、上面を開口した箱形のケース本体４１に歯車４２を軸着した回転軸４３が左右方向に対向して配置される側壁４４，４５間に架設されているとともに、前記歯車４２が側壁４４，４５間に架設されているもう１つの回転軸４６に軸着した小径歯車４７に噛合している。
【００１４】
前記回転軸４６には索条（ワイヤロープ）７の基端を巻き取る巻取りリール４８が軸着されており、前記回転軸４６は側壁４５側の端部を側壁４５および箱体１の側壁１２を貫通して延出しており、箱体１の側壁１２から突き出た延出部に平状の足踏みペタル８の基端部が固着されている。
【００１５】
また、前記回転軸４６には突起４８を有する円板４９が軸着されているとともに、その突起４８の先部に形成されるばね係止部とケース本体４１の側壁４４の所望位置との間に引張り型のコイルばね５０が張設されて、常時は前記足踏みペタル８を跳ね上げ状態（図１で実線で示す状態）に保持している。
【００１６】
更に、前記開放機構３は、箱体１の前記索条巻上げ機構４の上方に配置され、前記傘６の差し込み溝１１に向けて開放した平面がコ字形の枠体３１に回転軸３２が枢着されており、この回転軸３２には先端に係止爪３３を有する開放操作片３４と、基端側の突出端にばね係止部を有するレバー部材３５とが軸支され、前記レバー部材３５のばね係止部と箱体１の後壁１３の所望位置には引張り型のコイルばね３６が張設されて、常時は、前記開放操作片３４をほぼ水平地位置（図に実践で示す状態）に、また、レバー部材３５が仰角になるように保持している。
【００１７】
そして、前記レバー部材３５の先端側の突出端には、前記索条巻上げ機構４の回転軸４６に軸支されている巻取りリール４８に基端を巻回させた索状５の先端が連結されている。
【００１８】
一方、多数枚の傘入れ袋２１の収納部２は、例えば前記特許第２５６２８０６号公報に提示されている傘入れ袋の収納装置に用いられているような従来周知のものと同様の構成であり、箱体１のもう一方側上に前記開放機構３に対向して配置され、箱体１の側壁１４に設置した固定部材３１に着脱自在に水平方向に突設させた平面略コ字形のハンガ３２に多数枚の傘入れ袋２１が畳まれた状態で吊り下げ保持されている。
【００１９】
これらの傘入れ袋２１も、従来周知のものと同様に。例えば透明な軟質ポリエチレンシートのような防水性を有するシート地により上部に挿入口２２を有する封筒状に形成したもので拡げたときに傘６を収容可能なほぼ円錐形状を呈するものであり、挿入口２２における前片の上端部がＵ字状に折り返されている。また、後片の上部は前片よりも上方に突出し、その突出部に一対の掛止孔が設けられている。その各掛止孔に前記のコ字形ハンガ３２を挿通し、多数の傘入れ袋２１が吊り下げ保持されている。
【００２０】
特に、吊り下げ保持された多数の傘入れ袋２１の背面側には、押圧板３３がハンガ３２に沿って移動可能に設けられ、ハンガ１３に挿通保持された圧縮コイルばね１５により押圧板３３押されて多数の傘入れ袋２１が常時図面における右方に移動付勢している。
【００２１】
尚、図面中、符号５１は箱体１内の所望位置に配置された索条５の案内車である。
【００２２】
前記の構成を有する本実施の形態は、雨の日には店舗の入り口付近に配置され、傘を使用しない天候の際には店の内外の隅など邪魔にならない箇所に収納しておく。殊に、本実施の形態は装置自体がコンパクトで軽量であり、電源等も不要なので移動しての設置も容易であり、必要であれば箱体１の底面に搬送車などを付設すると更に使い勝手がよくなる。
【００２３】
そして、雨の日に、店頭などに配置した本実施の形態を使用するには、先ず、箱体１の正面に対峙して立ち、右下に跳ね上げ状態で保持している足踏みペタル８をコイルばね５０の不勢力に抗して踏み込む。足踏みペタル８が踏み込まれると足踏みペタル８の基端に固着している回転軸３２が手前側に回動し、歯車４２が噛合する小径歯車４７を介して増強した回転力を回転軸４６に軸支した巻取りリール４を巻き取り方向に回動させる。
【００２４】
従って、巻取りリール４に巻かれている索条５が案内車５１を介して巻取りリール４方向へ引かれるので索条の先端に係着しているレバー部材３５が回動して回転軸３２を回動させ、回転軸３２に軸支されている開閉操作片３４が図２に示すようにコイルばね３６の付勢力に抗して下方に向かって回転する。
【００２５】
このとき、開閉操作片３４の先端に設けた係止爪３３の回転する移動軌跡上に、傘入れ袋２１の収納部２に収納された最前の傘入れ袋２１における挿入口２２が位置するので、図２の仮想線で示すように係止爪３３が係止した後に回動するので挿入口２２が大きく開放する。
【００２６】
従って、使用者は開放した挿入口２２に傘６を差し込み、そのまま、ほぼ全体を傘入れ袋２１に差し込んだ後、従来のものと同様に溝１１を介して前方に引き抜くことでハンガ１３から外し外傘入れ袋２１が傘６を包んだ状態で離脱する。
【００２７】
傘６を傘入れ袋２１に収納し終わった後に、足踏みペタルから足を離すと、ばね部材５０，３６の付勢力により、前記回転軸４３，４６，３２が元の位置に復帰して次の使用に備える。
【図面の簡単な説明】
【００２８】
【図１】本発明の好ましい実施の形態における概略を示す説明図。
【図２】図１に示した実施の形態の主要な作動状態を示す説明図。
【符号の説明】
【００２９】
１  箱体、２  収納部、３  開放機構、４  索条巻き上げ機構、５索条、８  足踏みペタル、２１  傘入れ袋、２２  挿入口、３３  係止爪、３４  開放操作片
【図１】
2006131276.tif 000003
【図２】
2006131276.tif 000004